(57)【特許請求の範囲】
【請求項１】
円板状の底部を上下方向に貫いて延設された円筒状のスロート部を有するバーナボディと、該バーナボディ上に着脱自在に装着して外周に複数の炎孔を形成するバーナキャップと、前記バーナボディを着脱自在に保持するホルダとを備え、前記ホルダは、燃料ガスを上方に噴出させるノズルが設けられた基部と、該基部の一側部に立設された支持片と、該支持片から横方向に延びて前記基部に対向し、前記基部から離間した位置に前記バーナボディを支持する座板と、該座板に形成され、該座板に支持された前記バーナボディのスロート部を挿着するスロート挿着部とを備えて、前記基部と前記座板とは前記支持片を介して一体に形成されているコンロ用バーナにおいて、
前記ホルダの座板は、前記スロート挿着部の外周に沿って上方に突出してコンロの天板を貫通する円筒状の突出部を備えて、該突出部の上縁に前記バーナボディの底部を着座させることにより該バーナボディを支持し、
前記突出部は、その一部に形成された切欠きを備え、
前記バーナボディは、その底部の一部に前記切欠きに係合して位置決めされる突起を備え、
前記突出部に、前記切欠きの外側を覆う壁部を一体に設けたことを特徴とするコンロ用バーナ。
【請求項２】
前記突出部は、前記バーナボディの底部に当接する当接部と、前記バーナボディの底部と非接触となる非接触部とを備えることを特徴とする請求項１記載のコンロ用バーナ。
【請求項３】
前記ホルダの支持片には、前記バーナキャップの端部下面に突設されたターゲットとの間で火花放電を行う点火プラグが保持され、
前記バーナボディは、その周壁部に前記点火プラグの少なくとも一部を収容する凹部を備えることを特徴とする請求項１又は２記載のコンロ用バーナ。
【発明の詳細な説明】
【技術分野】
【０００１】
本発明は、コンロ用バーナに関する。
【背景技術】
【０００２】
従来、天板上に取り付けられるバーナボディと、バーナボディの上部に装着されるバーナキャップと、天板の下部に位置してノズルを保持するホルダとを備え、天板を挟んでバーナボディとホルダとがネジ部材により連結されたコンロ用バーナが知られている（下記特許文献１参照）。
【０００３】
このコンロ用バーナは、バーナキャップの裏面中央部がスロート部の上端に所定の間隙を存して対向し、スロート部に連なる環状のチャンバが画成されると共に、このチャンバの外周部に周方向の間隔を存して多数の炎孔が画成されるようになっている。
【０００４】
そして、スロート部の下方に設けられたノズルからスロート部の下端開口に向けて燃料ガスが噴射されると、スロート部の下端開口から燃料ガスと共に一次空気が吸い込まれ、スロート部で混合されて混合ガスがスロート部の上端からチャンバを経て炎孔に供給される。このような構成によれば、バーナの小型軽量化を図ることができる等の利点がある。
【先行技術文献】
【特許文献】
【０００５】
【特許文献１】特表２００６−５２６１２６号公報
【発明の概要】
【発明が解決しようとする課題】
【０００６】
しかし、上記従来のものでは、天板を挟んでバーナボディとホルダとがネジ部材により連結される構造であるので、ネジ部材の弛み等によりバーナボディとホルダとの組み付け誤差やずれが生じると、ノズルの軸線とスロート部の軸線とに位置ずれが生じ、スロート部における燃料ガスと一次空気との混合が不十分となって燃焼不良となるおそれがある。
【０００７】
また、掃除等の手入れを行う際にバーナボディを天板上から取り外す場合に、ネジ部材によるホルダとの連結を解除する作業が煩わしく、また、手入れ後にバーナボディとホルダとをネジ部材により連結させる作業も煩わしい不都合がある。
【０００８】
また、上記従来のものでは、ネジ部材によるバーナボディとホルダとの連結位置が炎孔の直近に位置しているので、バーナボディの熱が高温の状態でホルダに伝達される。このため、ホルダに保持されたノズルが加熱されて熱膨張等に伴うノズル口径の変化が生じ、この影響で燃料ガスが所望の噴射量とならず、良好な燃焼が得られないおそれがある。
【０００９】
上記の点に鑑み、本発明は、掃除等の手入れが容易に行えるだけでなく良好な燃焼が得られる構造簡単なコンロ用バーナを提供することを目的とする。
【課題を解決するための手段】
【００１０】
本発明のコンロ用バーナは、円板状の底部を上下方向に貫いて延設された円筒状のスロート部を有するバーナボディと、該バーナボディ上に着脱自在に装着して外周に複数の炎孔を形成するバーナキャップと、前記バーナボディを着脱自在に保持するホルダとを備え、前記ホルダは、燃料ガスを上方に噴出させるノズルが設けられた基部と、該基部の一側部に立設された支持片と、該支持片から横方向に延びて前記基部に対向し、前記基部から離間した位置に前記バーナボディを支持する座板と、該座板に形成され、該座板に支持された前記バーナボディのスロート部を挿着するスロート挿着部とを備えて、前記基部と前記座板とは前記支持片を介して一体に形成されているコンロ用バーナにおいて、前記ホルダの座板は、前記スロート挿着部の外周に沿って上方に突出してコンロの天板を貫通する円筒状の突出部を備えて、該突出部の上縁に前記バーナボディの底部を着座させることにより該バーナボディを支持し、前記突出部は、その一部に形成された切欠きを備え、前記バーナボディは、その底部の一部に前記切欠きに係合して位置決めされる突起を備え、前記突出部に、前記切欠きの外側を覆う壁部を一体に設けたことを特徴とする。
【００１１】
本発明によれば、バーナボディのスロート部をスロート挿着部に挿入するだけでホルダにバーナボディを保持させることができる。このため、従来のようにネジ止め作業等が不要であるだけでなく、ネジ止めによる組み付け精度の低下も防止することができ、掃除等の手入れを容易に行うことができる。しかも、ホルダを構成する基部、支持片及び座板が一体に形成されていることにより部品点数が少なく構造も簡単となり、容易に小型軽量化を図ることができる。
【００１２】
また、ホルダの基部、支持片及び座板が一体であることで、基部に設けられたノズルとスロート挿着部との位置ずれは生じない。そして、このスロート挿着部にバーナボディのスロート部を挿着したときには、スロート部の動きがスロート挿着部で規制される。従って、スロート部とノズルとの位置ずれも生じない。これによって、バーナボディをホルダにセットした際に、スロート部とノズルとが極めて高精度に位置決めされるので、スロート部とノズルとの位置ずれに伴う燃焼不良を確実に防止することができる。
【００１３】
更に、ホルダに保持されたバーナボディは、スロート部がホルダの座板の一部に設けられたスロート挿着部にのみ接する。これにより、従来のように炎孔の直近でバーナボディとホルダとが連結される構成のものに比べて、バーナボディからホルダへの熱の伝達を抑えることができ、ノズルの加熱によるノズル口径の変化を防止して良好な燃焼を得ることができる。
【００１５】
ホルダの座板に突出部を設け、突出部の上端縁にバーナボディを着座させるようにしたので、バーナボディのスロート部の外周部とホルダの突出部との接触部分が極めて小さくなり、バーナボディからホルダへの熱の伝達を小さくしてノズルの熱膨張によるノズル口径の変化を抑制することができる。
【００１６】
更に、突出部はホルダの座板上に突出して設けられるので、天板の上方に向かって突出させることができる。これにより、バーナボディをホルダから取り外した状態で目視による突出部の確認が容易となる。従って、掃除等の手入れの後に、バーナボディをホルダにセットするときには、バーナボディのスロート部をこの突出部を介してスロート挿着部に的確に挿入することができ、ホルダにバーナボディをセットする作業を極めて容易に行うことができる。更に、突出部によってその内側への煮汁等の異物が侵入し難く、ノズルへの異物の付着等も防止できる。
また、バーナボディをホルダにセットしたとき、突出部の切欠きにバーナボディの突起が係合するので、ホルダに対するバーナボディの不用意な回転を防止することができる。従って、従来のようにネジ部材等を用いることなくバーナボディがホルダに保持された状態を高精度に維持することができる。
更に、前記突出部に、前記切欠きの外側を覆う壁部を一体に設けたことにより、万一鍋から吹きこぼれた煮汁が天板上を流れて突出部の切欠きに入ろうとしても、壁部がそれを阻止するので、煮汁がコンロ内部に侵入することを防止できる。
【００１７】
また、このとき、前記突出部は、前記バーナボディの底部に当接する当接部と、前記バーナボディの底部と非接触となる非接触部とを備えることが好ましい。
【００１８】
これによれば、前記非接触部がバーナボディの底部と非接触となるので、バーナボディとホルダとの接触面積は極めて小さくなる。これにより、ノズルへの熱の伝達を確実に抑制することができる。
【００１９】
しかも、例えば、加熱調理時に鍋から吹きこぼれた煮汁がバーナボディの底部側に回り込んでも、バーナボディとホルダとの接触面積は極めて小さいことによりバーナボディとホルダとが煮汁により固着することが防止でき、ホルダからのバーナボディの取り外しが円滑に行えるので、掃除等の作業を容易に行うことができる。
【００２３】
また、本発明において、前記ホルダの支持片には、前記バーナキャップの端部下面に突設されたターゲットとの間で火花放電を行う点火プラグが保持され、前記バーナボディは、その周壁部に前記点火プラグの少なくとも一部を収容する凹部を備えることを特徴とする。
【００２４】
バーナボディに設けた凹部に点火プラグの少なくとも一部を収容することにより、上方から滴下する煮汁等の影響を回避して点火プラグの良好な作動を維持することができる。
【００２５】
更に、例えば、バーナボディの凹部と点火プラグとの位相がずれた状態でバーナボディをホルダにセットしようとした場合には、一部が凹部に収容されるべき点火プラグがバーナボディに干渉する。これによれば、バーナボディをホルダにセットする作業が阻害されるので、作業者は、凹部と点火プラグとの位相ずれを確実に気付くことになり、凹部と点火プラグとの位置合わせを促してバーナボディの誤セットを確実に防止することができる。
【図面の簡単な説明】
【００２６】
【図１】参考例のコンロ用バーナを示す説明的断面図。
【図２】バーナボディの底面図。
【図３】バーナキャップを取り除いた状態のコンロ用バーナを示す平面図。
【図４】コンロ用バーナを一部分解して示す斜視図。
【図５】ホルダとバーナボディとを分解して示す斜視図。
【図６】バーナボディと点火プラグとの干渉状態を示す側面図。
【図７】本発明の実施形態のコンロ用バーナの要部を平面視した説明図。
【図８】本発明の実施形態のコンロ用バーナの要部を断面視した説明図。
【発明を実施するための形態】
【００２７】
先ず、本発明の実施形態と共通の構成を有する参考例について図１〜図６を用いて説明する。図１において、１はガスコンロのコンロ本体の一部（底部）を示している。コンロ本体１は上面が開放された箱形状（図示省略）であり、開放されたコンロ本体１の上面には、天板２が載置されている。天板２には、バーナ用開口３が開設されており、このバーナ用開口３を通して天板２の上方に露出するコンロ用バーナ４が設けられている。なお、図示しないが、バーナ用開口３の周囲の天板２上には五徳が載置され、五徳上に鍋等の調理容器を載置することにより加熱調理が行えるようになっている。
【００２８】
コンロ用バーナ４は、図１に示すように、天板２の上方に位置するバーナボディ５と、このバーナボディ５上に載置されるバーナキャップ６と、天板２の下方に位置してバーナボディ５を保持するホルダ７とを備えている。バーナキャップ６はバーナボディ５から着脱自在とされており、バーナボディ５はホルダ７から着脱自在とされている。これにより、ホルダ７からバーナボディ５とバーナキャップ６とを取り外して、掃除等の手入れが容易に行えるようになっている。
【００２９】
バーナボディ５は、円板状の底部８と、底部８の中央を貫いて上下方向に延びる円筒状のスロート部９と、底部８の外周縁部に立設した環状の周壁部１０とによって構成されている。スロート部９は底部８の上方に延出する上方延出部１１と、底部８の下方に延出する下方延出部１２とによって構成され、上下端が開口している。
【００３０】
図２においてバーナボディ５を底面側から示すように、バーナボディ５の底部８には、下方延出部１２の周方向に沿って複数の窪み部１３と、下方延出部１２の一部に隣接する突起１４が形成されている。また、バーナボディ５の周壁部１０には凹部１５が形成されている。この凹部１５には、図１及び図３に示すように、後述の点火プラグ１６の一部が収容される。
【００３１】
バーナキャップ６は、図１に示すように、バーナボディ５の周壁部１０の上面に着座させる筒壁部１７を備えている。この筒壁部１７には、周方向の間隔を存して、深さの異なる大小複数種類の溝が多数形成されている。
【００３２】
バーナボディ５上にバーナキャップ６を載置すると、バーナボディ５の上部がバーナキャップ６によって覆われ、スロート部９の上方延出部１１の上端に所定の間隙を存してバーナキャップ６の裏面が対向する。そして、スロート部９の上方延出部１１と周壁部１０との間に環状のチャンバ１８が画成される。また、バーナキャップ６の筒壁部１７に形成されている前記溝がバーナボディ５の周壁部１０によって孔となり、チャンバ１８の外周部に多数の炎孔が画成される。
【００３３】
これらの炎孔について簡単に説明すれば、図１及び図４に示すように、凹部１５と対向するバーナキャップ６の筒壁部１７の部分には、比較的幅広の小溝が形成され、バーナボディ５の周壁部１０上で点火用炎孔１９が画成される。また、図示しない五徳の五徳爪と同一方向に位置するバーナキャップ６の筒壁部１７の部分には、３つの小溝が連続して形成され、これら小溝によってバーナボディ５の周壁部１０上で小炎孔２０が画成される。これにより、火炎が五徳爪に触れて燃焼不良を生じることが防止される。五徳爪間に対応する位置のバーナキャップ６の筒壁部１７の部分には、大溝と小溝とが交互に形成され、大溝によってバーナボディ５の周壁部１０上で通常炎孔２１が画成され、小溝によってバーナボディ５の周壁部１０上で保炎孔２２が画成される。
【００３４】
また、図４に示すように、バーナボディ５の周壁部１０の凹部１５に対応するバーナキャップ６の裏面側には、点火用のターゲット２３が突設されている。
【００３５】
更に、バーナキャップ６の裏面側におけるバーナボディ５の上方延出部１１に対応する位置には、上方延出部１１の外周面に当接してバーナキャップ６の軸芯位置決めのための３つの第１位置決め爪２４ａが形成されている。第１位置決め爪２４ａにより、バーナボディ５上に載置したバーナキャップ６の不用意な位置ずれが防止される。また、バーナキャップ６の裏面側には、筒壁部１７の内側の所定位置に下方に延びる第２位置決め爪２４ｂが形成されている。第２位置決め爪２４ｂは、バーナボディ５に形成された位置決め凹部２５に係合することにより、バーナボディ５上に載置したバーナキャップ６を位置決めする。これにより、バーナボディ５に対してバーナキャップ６の不用意な回転が防止される。
【００３６】
ホルダ７は、図１に示すように、コンロ本体１に設けた台座２６上に取り付けられた基部２７と、この基部２７の一辺に立設した支持片２８と、支持片２８によって片持ち支持された座板２９とから構成されている。基部２７、支持片２８及び座板２９は、アルミニウム合金等の金属ブロックにより一体に形成されている。
【００３７】
ホルダ７の基部２７には、その内部に燃料ガスのガス通路３０が形成されされており、その上方にはガス通路３０に連通するノズル３１が取り付けられている。ノズル３１は垂直上方に燃料ガスを噴射するガス噴射口３２を備えている。
【００３８】
ホルダ７にバーナボディ５をセットすると、スロート部９がノズル３１先端のガス噴射口３２に臨み、スロート部９の下端開口に向けて燃料ガスを噴射できるようになる。ノズル３１からスロート部９の下方延出部１２の下端開口に向かって燃料ガスが噴射されると、周囲から空気を一次空気として巻き込みながら燃料ガスがスロート部９の内部に入り、スロート部９で燃料ガスと一次空気が混合されて混合ガスが生成される。この混合ガスは、スロート部９の上方延出部１１の上端開口から流出してバーナキャップ６の裏面に当たる。バーナキャップ６の裏面に当たった混合ガスは、上方延出部１１の上端とバーナキャップ６の裏面との間隙を抜けてバーナキャップ６の裏面に沿ってその径方向に広げられ、チャンバ１８を経て均等に分布された状態で各炎孔へ向かう。
【００３９】
ホルダ７の支持片２８には、図３及び図５に示すように、保持部３３が一体に形成され、この保持部３３によりバーナキャップ６のターゲット２３との間で火花放電を行う点火プラグ１６が保持されると共に、バーナボディ５の外側に位置して火炎を検知する熱電対３４が保持される。
【００４０】
座板２９には、図１及び図５に示すように、バーナボディ５のスロート部９の下方延出部１２が着脱自在に挿着されるスロート挿着部３５が開設されている。また、座板２９には、スロート挿着部３５の外周に沿って環状に形成されて座板２９の上方に突出する円筒状の突出部３６が形成されている。スロート挿着部３５と突出部３６とは同一内径で連続し、下方延出部１２の外周上端が突出部３６の内周上端に線接触するようになっている。そして、図１に示すように、座板２９の突出部３６が天板２のバーナ用開口３を貫通して天板２の上方に突出し、座板２９の上面が天板２の裏面に当接する。そして、図示しないが、座板２９と天板２がネジ部材等により連結状態とされる。また、天板２は、コンロ本体１をカウンタートップに組み付け後にセットされるが、このとき、突出部３６が天板２の位置決めとなって天板２のセットが円滑に行える利点もある。
【００４１】
突出部３６には、図１及び図５に示すように、切欠き３７が形成されている。そして、ホルダ７にバーナボディ５を保持させるとき、バーナボディ５をその下方延出部１２側から座板２９のスロート挿着部３５に挿入し、バーナボディ５の突起１４を切欠き３７に係合させながら、バーナボディ５の底部８を座板２９の突出部３６上端縁に着座させる。なお、切欠き３７及び突起１４は本発明の係合部及び被係合部に相当するものである。
【００４２】
これにより、ホルダ７に対してバーナボディ５が位相決め及び芯合わせされ、スロート部９がノズル３１に対して位置決めされ、更に、バーナボディ５の凹部１５が点火プラグ１６に対応するように位置決めされる。このとき、ホルダ７を構成する基部２７、支持片２８及び座板２９が金属ブロックにより一体に形成されていることにより、基部２７に設けられたノズル３１とスロート挿着部３５との位置ずれは生じない。そして、このスロート挿着部３５にバーナボディ５のスロート部９の下方延出部１２が挿着されて規制されるので、スロート部９の下方延出部１２とノズル３１との位置ずれも生じない。これによって、バーナボディ５をホルダ７にセットした際に、スロート部９とノズル３１とが極めて高精度に位置決めされるので、スロート部９とノズル３１との位置ずれに伴う燃焼不良を確実に防止することができる。
【００４３】
ところで、バーナボディ５からの比較的高温の熱がノズル３１に伝達されると、ノズル３１の熱膨張等の影響によりガス噴射口３２の口径が変化して燃料ガスが所望の噴射量とならず、所望する燃焼量が得られないおそれがある。ホルダ７は、基部２７、支持片２８及び座板２９が一体であることにより、部品点数を小としてコンパクトに形成することができる反面、バーナボディ５からの熱がホルダ７の座板２９及び支持片２８を介して基部２７のノズル３１に伝達されることが考えられる。
【００４４】
しかし、上記参考例の構成においては、バーナボディ５において炎孔が形成される周壁部１０から比較的離れた位置にあるスロート部９の下方延出部１２の外周上端が、ホルダ７の座板２９の一部に設けられた突出部３６の内周上端に線接触するだけでなく、ホルダ７の座板２９が、バーナボディ５の炎孔から離間して位置している。これにより、炎孔の直近でバーナボディとホルダとが連結される構成のものに比べて、バーナボディ５からホルダ７への熱の伝達を抑えることができる。しかも、ホルダ７にセットされたバーナボディ５は、ホルダ７の座板２９に形成された突出部３６の上端縁に着座するので、バーナボディ５とホルダ７との接触部分は極めて小さい。従って、バーナボディ５からノズル３１への熱伝達を小とすることができ、ノズル３１の熱膨張によるガス噴射口３２の口径の変化を抑制することができる。
【００４５】
更に、バーナボディ５の底部８には、図２に示すように、下方延出部１２の周方向に沿って複数の窪み部１３が形成されている。これによって、突出部３６（図２においては仮想線示する）の上端縁には、バーナボディ５の底部８に当接する当接部３６ａと、バーナボディ５の窪み部１３によりバーナボディ５の底部８と非接触となる非接触部３６ｂとが形成されるので、バーナボディ５とホルダ７との接触面積は一層小さくなっている。これにより、ノズル３１への熱の伝達を極めて小さくすることができ、熱の影響によるガス噴射口３２の口径の変化を防止して、良好な燃焼を得ることができる。更に、加熱調理時に鍋から吹きこぼれた煮汁がバーナボディ５の底部８側に回り込んでも、上記接触面積が小さいことによりバーナボディ５とホルダ７とが煮汁により固着することが防止でき、掃除等の作業も容易となる。なお、上記参考例の構成においては、バーナボディ５の底部８に窪み部１３を設けることで非接触部３６ｂを形成する例を示したが、それ以外には、バーナボディ５の底部８を平坦とし、突出部３６の上端に複数の切欠きを設けて非接触部を形成してもよい。
【００４６】
また、ホルダ７のうち座板２９に設けた突出部３６のみが天板２の上方に突出するので、バーナボディ５をホルダ７から取り外した状態で目視による突出部３６の確認が容易である。これにより、掃除等の後に、バーナボディ５をホルダ７にセットするときには、バーナボディ５の下方延出部１２をこの突出部３６を介してスロート挿着部３５に的確に挿入することができ、ホルダ７にバーナボディ５をセットする作業を極めて容易に行うことができる。しかも、バーナボディ５の下方延出部１２を、天板２から突出する突出部３６を介してスロート挿着部３５に挿入するだけで、ホルダ７へのバーナボディ５の組み付けが完了するので、従来のようにネジ止め作業等が不要であるだけでなく、ネジ止めによる組み付け精度の低下も防止することができる。
【００４７】
また、バーナボディ５をホルダ７にセットしたとき、バーナボディ５の突起１４が突出部３６の切欠き３７に係合するので、ホルダ７に対するバーナボディ５の不用意な回転を防止することができる。
【００４８】
ところで、ガスコンロによる調理では、鍋から天板２上に吹きこぼれた煮汁が、バーナボディ５の下方に流れて突出部３６に向うことがある。このとき、ホルダ７の突出部３６に切欠き３７が形成されていると、例えば、切欠き３７を介してスロート挿着部３５の内側に煮汁が入り込むことが考えれるため、コンロ本体１の内部に煮汁が侵入するおそれがある。
【００４９】
そこで、本実施形態においては、上記参考例の構成に加えて、図７及び図８に示すように、突出部３６に切欠き３７の外側を覆う壁部３８を設けた。これによれば、切欠き３７の外側を壁部３８が覆って天板２上に吹きこぼれた煮汁を堰き止めることができ、煮汁がコンロ本体１内に侵入するのを防止することができる。
【００５０】
更に、図８に示すように、壁部３８の上端縁とバーナボディ５の底部８との間に僅かな（例えば、０．５mm程度の）隙間ｘが形成されるように壁部３８の高さ方向の寸法を設定することが好ましい。これにより、壁部３８を設けたことに伴うバーナボディ５とホルダ７との接触面積の増加が防止でき、上述した窪み部１３による非接触部３６ｂの効果を阻害することがない。
【００５２】
また、図１に示すように、バーナボディ５に設けた凹部１５には、点火プラグ１６の少なくとも一部が収容できるようになっている。これにより、バーナボディ５の凹部１５と点火プラグ１６との位相がずれた状態でバーナボディ５をホルダ７にセットしようとしても、図６に示すように、点火プラグ１６がバーナボディ５に干渉して作業が阻害されるので、凹部１５と点火プラグ１６との位相ずれを作業者に確実に気付かせることができ、凹部１５と点火プラグ１６との位置合わせを促してバーナボディ５の誤セットを防止することができる。
【符号の説明】
【００５３】
１…コンロ用バーナ、５…バーナボディ、６…バーナキャップ、７…ホルダ、８…底部、９…スロート部、１４…突起（被係合部）、１５…凹部、１６…点火プラグ、１９，２０，２１，２２…炎孔、２３…ターゲット、２７…基部、２８…支持片、２９…座板、３１…ノズル、３５…スロート挿着部、３６…突出部、３６ａ…当接部、３６ｂ…非接触部、３７…切欠き（係合部）、３８…壁部。
【図１】
0005184674.tif 000002
【図２】
0005184674.tif 000003
【図３】
0005184674.tif 000004
【図４】
0005184674.tif 000005
【図５】
0005184674.tif 000006
【図６】
0005184674.tif 000007
【図７】
0005184674.tif 000008
【図８】
0005184674.tif 000009